(57)【要約】【課題】付け毛束を自毛に編み込んで結束する結束方法及びこれにより実現される結束構造であって、編み込み作業が簡易であり、付け毛束の編み込み長さが短く、また、髪が伸びても良好な結束状態を維持することのできるものを提案する。【解決手段】二の付け毛１１ａ・１１ｂと自毛束１３ａ・１３ｂとからなる毛束Ｈ１・Ｈ３と、一のゴム紐１２と自毛束１３ｃとからなる毛束Ｈ２とを形成して、これらの毛束Ｈ１・Ｈ２・Ｈ３で三つ編みし、前記ゴム紐１２で縛って編み込みを止め、付け毛束１１を自毛１３に結束した。【選択図】図９
2005325477.tif 000002
【特許請求の範囲】
【請求項１】
付け毛と自毛とからなる毛束と、ゴム紐と自毛とからなる毛束とを、編み込んでいることを特徴とする、
毛束の結束構造。
【請求項２】
前記編み込みをゴム紐にて止めている、
請求項１に記載の毛束の結束構造。
【請求項３】
付け毛とゴム紐とを絡ませるステップと、
二の付け毛と自毛とからなる毛束と、一のゴム紐と自毛とからなる毛束とを形成するステップと、
前記毛束を編み込むステップと、
前記編み込み終端部をゴム紐で縛って編み込みを止めるステップとを、
備えることを特徴とする毛束の結束方法。
【請求項４】
前記毛束を編み込むステップにおいて、
編み込みの途中で、自毛を毛束間で移動させるステップを含む、
請求項３に記載の毛束の結束方法。
【発明の詳細な説明】
【技術分野】
【０００１】
本発明は、自毛に付け毛束を結束し固定するための結束構造及び結束方法に関する。
【背景技術】
【０００２】
従来の薄毛のための増毛技術に加え、近年では、エクステンションと呼ばれるファッションのための増毛（伸毛）技術が盛んに行われている。
このエクステンションでは、人工毛又は人毛の付け毛（増毛）束を、頭皮から生えている自毛に固定し、人工的に毛髪を長くしたり増加させたり色を変化させたりして、自在に毛髪に意匠を施すことができる。
【０００３】
上記のような増毛技術において、付け毛の固定方法は、様々な方法が採用されている。
例えば、
（１）自毛で作った結び目よりも頭皮側に付け毛束を結びつける方法（特許文献１）、
（２）自毛に付け毛束をグルーやボンド、または自己融着で固着する方法（特許文献２）、
（３）付け毛束の先端に取り付けた金属製又は硬質樹脂製のチューブを自毛に通しチューブを潰してとめる方法（特許文献３）、
（４）自毛束と付け毛束とを合わせて三つ編み又は四つ編みをしたのちゴム紐で縛る方法（特許文献４）、
等が知られている。
【０００４】
【特許文献１】特開平５−１５６５０６号公報
【特許文献２】特開２００２−２０９２２号公報
【特許文献３】特開２００４−３１０７号公報
【特許文献４】特開２００４−１００１２８号公報
【発明の開示】
【発明が解決しようとする課題】
【０００５】
頭皮や毛髪等に与えるダメージがより少ない方法を採用するとすれば、上記従来技術のうち（４）の方法が好ましい。また、この方法では特別な器具を要しないのでコストも低く抑えることができる。
しかし、付け毛束が自毛から外れないように編み込むためには、相当の編み込み長さが必要であり、短い毛髪に取り付けることは困難であり、また、付け毛束の編み込みに時間がかかっていた。
そして、付け毛束を結束してから時間が経過して自毛が伸びると、自毛の根元が編み込み初めから離れることによって編み込みが緩んでしまうという不具合があった。
さらに、付け毛束を自毛に良好に固定するためには密に編み込むことが好ましいが、このために、編み込みにおいて常に自毛を強く引っ張った状態で編み込むことが必要となり、頭皮や毛髪にダメージを与え、また、引っ張られるため痛みを感じ精神的苦痛を与えるという不具合があった。
【０００６】
そこで、本発明では、付け毛束を自毛に編み込んで結束する結束方法及びこれにより実現される結束構造であって、従来の編み込みによる結束方法と比較して、編み込み作業が簡易であり、付け毛束の編み込み長さが短く、また、髪が伸びても良好な結束状態を維持することのできるものを、提案する。
【課題を解決するための手段】
【０００７】
本発明の解決しようとする課題は以上の如くであり、次にこの課題を解決するための手段を説明する。
【０００８】
即ち、請求項１においては、付け毛と自毛とからなる毛束と、ゴム紐と自毛とからなる毛束とを、編み込んでいる毛束の結束構造である。
【０００９】
請求項２においては、前記編み込み終端部をゴム紐にて止めているものである。
【００１０】
請求項３においては、付け毛とゴム紐とを絡ませるステップと、二の付け毛と自毛とからなる毛束と、一のゴム紐と自毛とからなる毛束とを形成するステップと、前記毛束を編み込むステップと、前記ゴム紐で縛って編み込みを止めるステップとを、備える毛束の結束方法である。
【００１１】
請求項４においては、前記毛束を編み込むステップにおいて、編み込みの途中で、自毛を毛束間で移動させるステップを含むものである。
【発明の効果】
【００１２】
本発明の効果として、以下に示すような効果を奏する。
【００１３】
請求項１においては、一緒に編み込んだゴム紐と、付け毛束又は自毛との摩擦と、ゴム紐の弾性による締め付け力によって、付け毛束と自毛との相対的な位置関係が移動し難い状態とすることができ、引っ張っても自毛より外れ難く、且つ、緩み難く、付け毛束を自毛に結束させることができる。
【００１４】
請求項２においては、編み込み作業の途中で他の部材を取り出したり持ち直したりする手間が省け、作業をスムースに進めることができる。
【００１５】
請求項３においては、一緒に編み込んだゴム紐と、付け毛束又は自毛との摩擦と、ゴム紐の弾性による締め付け力によって、付け毛束と自毛との相対的な位置関係が移動し難い状態とすることができ、引っ張っても自毛より外れ難く、且つ、緩み難く、付け毛束を自毛に結束させることができる。
【００１６】
請求項４においては、毛束の毛量を略均等としてバランス良く編み込むことができ、また、自毛と付け毛とを複雑に編むことができるので、より良好に結束することができる。
【発明を実施するための最良の形態】
【００１７】
次に、発明の実施の形態を説明する。
図１は本発明の実施例に係る毛束の結束方法の流れ図、図２は付け毛束とゴム紐とを絡ませる様子を示す図、図３は付け毛束とゴム紐束とを自毛束に添える様子を示す図、図４は毛束を編み込むときの付け毛束とゴム紐束との移動を示す図、図５は毛束を編み込むときの付け毛束とゴム紐束との移動を示す図、図６は毛束を二周編み込んだ様子を示す図、図７は毛束の毛量を調整する様子を示す図、図８は毛束を四周編み込んだ付け毛束とゴム紐束の状態を示す図である。
図９は本発明の実施例に係る毛束の結束構造を示す図である。
【００１８】
図１は、本発明の実施例に係る毛束の結束方法の流れ図である。
結束作業は、付け毛束１１にゴム紐１２を絡ませるステップ（Ｓ２１）、自毛１３を三束に分けて付け毛束１１とゴム紐１２と付け毛束１１とにそれぞれ添えるステップ（Ｓ２２）、三つ編みをするステップ（Ｓ２３）、ゴム紐１２に添えた自毛１３を増量するステップ（Ｓ２４）、三つ編みをするステップ（Ｓ２５）、ゴム紐１２で止めるステップ（Ｓ２６）から構成される。
【００１９】
以下、上記各ステップについて説明する。
【００２０】
ステップＳ２１においては、付け毛束１１にゴム紐１２を絡ませる。
付毛束１１は、人毛や人工毛等のエクステンション毛が複数本束ねられて構成されている。図２に示すように、この付け毛束１１の長さ方向略中央において、ゴム紐１２の長さ方向略中央部を一周程度巻き付けて絡ませる。このとき、巻き付けて折り曲げられ、二本になったゴム紐１２を合わせて捻り、付け毛束１１からゴム紐１２がより外れにくく扱い易くするようにすることもできる。なお、ゴム紐１２は、その機能を果たす部材としてゴム紐に限定されるものではなく、弾性を有する樹脂製の糸等、弾性を有する素材から構成されている糸状又は紐状の部材を利用することができる。
このステップＳ２１において絡み合った付け毛束１１とゴム紐１２は、付け毛束１１とゴム紐１２との接合部Ｙを中心として、二の付け毛束１１ａ・１１ｂ（一の付け毛束１１を折り曲げて二の束としている）と、一のゴム紐束１２ａとで、三束に分岐されている。
【００２１】
ステップＳ２２においては、自毛１３と、前記ステップＳ２１においてを三束に分岐した付け毛束１１ａ・１１ｂ及びゴム紐１２とを合わせて毛束を形成する。
図３に示すように、自毛１３を適量とり、三束に分けて自毛束１３ａ・１３ｂ・１３ｃとする。そして、付け毛束１１とゴム紐１２との接合部Ｙを、自毛１３の根元に押し当て、各自毛束１３ａ・１３ｂ・１３ｃに、付け毛束１１ａ、ゴム紐束１２ａ、付け毛束１１ｂを添える。このとき、自毛１３の根元により近い位置に付け毛束１１とゴム紐１２との接合部Ｙを配置することによって、付け毛束１１の編み込み部分をより外部に露出し難いようにすることができ、また、接合部Ｙが固定されることによって編み込みが容易となる。
こうして、自毛束１３ａと付け毛束１１ａとの毛束Ｈ１、自毛束１３ｃとゴム紐束１２ａとの毛束Ｈ２、自毛束１３ｂと付け毛束１１ｂとの毛束Ｈ３の、三束の毛束Ｈ１・Ｈ２・Ｈ３を形成する。
なお、本実施例においては、自毛束１３ｃとゴム紐束１２ａとの毛束Ｈ２が、三束の毛束Ｈ１・Ｈ２・Ｈ３の左右中央に位置するようにしているが、これに限定されるものではなく、自毛束１３ｃとゴム紐束１２ａとの毛束Ｈ２が、三束の毛束Ｈ１・Ｈ２・Ｈ３の左右いずれかに位置するようにすることもできる。
【００２２】
ステップＳ２３においては、ステップＳ２２において形成した三束の毛束Ｈ１・Ｈ２・Ｈ３を三つ編みする。
図４及び図５に示すように、三束の毛束Ｈ１・Ｈ２・Ｈ３のうち左右中央に至った毛束を、左右交互に、上方を通して側方に移動させる作業を繰り返す、いわゆる「裏編み」を、図６に示すように、二周行う。
なお、本実施例においては、このステップＳ２３において三つ編みを二周行うものとしているが、これに限定されるものではなく、三周や四周等複数周行うことができる。但し、三つ編みの長さは少ない方が付け毛束１１の編み込み長さをより短くすることができるので好ましい。
また、本実施例においては、三つ編みを「裏編み」としているが、これに限定されるものではなく、三つ編みを「表編み」とすることもできる。
【００２３】
ステップＳ２４においては、ゴム紐１２に添えた自毛１３を増量する。
前記ステップＳ２３において三つ編みを終えた状態では、図６に示すように、三束の毛束Ｈ１・Ｈ２・Ｈ３が存在し、その左右中央に、自毛束１３ｃとゴム紐束１２ａとの毛束Ｈ２が位置する。そして本ステップＳ２４では、この自毛束１３ｃとゴム紐束１２ａとの毛束Ｈ２に、その他の毛束Ｈ１・Ｈ３のいずれか一方若しくは両方から、自毛１３の一部を移動させて、ゴム紐１２に添えた自毛１３を増量する。本実施例では、自毛束１３ｃとゴム紐束１２ａとの毛束Ｈ２の右側に位置する毛束Ｈ３から自毛１３の一部（Ｘ）を移動させている。
このように、ゴム紐１２に添えた自毛１３を増量して、付け毛束１１ａ・１１ｂとゴム紐束１２ａとの束の太さの差を解消し、三束の各毛束Ｈ１・Ｈ２・Ｈ３の毛量を略同量としてバランス良く編み込むことができるようにしている。また、このように、自毛１３の一部を他の束に移動させて、より複雑に自毛１３と付け毛束１１とを編み込むことによって、付け毛束１１と自毛１３との結束強度の向上を図っている。
【００２４】
ステップＳ２５においては、前記ステップＳ２４において毛量を略同量とした三束の毛束Ｈ１・Ｈ２・Ｈ３を、さらに三つ編みする。
図８に示すように、このステップＳ２５においても、前記ステップＳ２３と同様に、裏編みを二周行う。このようにして、本実施例に係る毛束の結束方法では、ステップＳ２３とステップＳ２５とで合わせて四周の三つ編みをしている。
なお、ここにおいても、三つ編みの周数や、三つ編みの表編み又は裏編みは限定されるものではない。
【００２５】
ステップＳ２６においては、ゴム紐１２で編み込み部分を止める。
三つ編みを終えた状態では、図８に示すように、三束の毛束Ｈ１・Ｈ２・Ｈ３に分かれており（自毛束１３ａ・１３ｂ・１３ｃは図示せず）、自毛束１３ｃとゴム紐束１２ａとの毛束Ｈ２が、他の毛束Ｈ１と毛束Ｈ３の間の中央に位置している。この状態から、図９に示すように、これらの毛束Ｈ１・Ｈ２・Ｈ３を合わせ、編み込まれていたゴム紐１２を編み込みの終端部の周囲に巻き付け、ゴム紐１２同士で結び、編み込みをゴム紐１２で縛ることによって止める。
ここでは、一緒に編み込んでいたゴム紐１２を用いて編み込みを縛って止めるため、作業の途中に他の部材を加える必要が無く、作業をスムースに行うことができる。
なお、付け毛束１１を外すときには、ゴム紐１２の結び目を解いて、編み込みを解けば、付け毛束１１と自毛１３とを分離させることができる。
【００２６】
上述の毛束の結束方法によって形成される毛束の結束構造は、自毛１３の根元近傍からゴム紐１２及び付け毛束１１が自毛１３とともに編み込まれ、その編み込みがゴム紐１２によって止められているものとなっている。
そして、一緒に編み込んだゴム紐１２と、付け毛束１１又は自毛１３との摩擦と、ゴム紐１２の弾性による毛束の締め付け力によって、これらの相対的な位置関係が移動し難い状態となっている。
【００２７】
上述の毛束の結束方法によって形成される毛束の結束構造では、本実施例のように、三つ編みが四周という少ない数であっても、十分に自毛１３と付け毛束１１とを結束させることを実現している。
また、編み込み初めの付け毛束１１と自毛１３との相対位置がゴム紐１２の摩擦によって保持されるので、毛髪が伸びて編み込み初めが自毛１３の根元から離れた位置となっても、編み込みが緩んで付け毛束１１が外れることがない。
すなわち、自毛１３に結束された付け毛束１１は、引っ張っても自毛１３より外れ難く、また、編み込みが緩み難いので、長持ちさせることができる。また、編み込みの精度に多少のムラが合ったとしても、ゴム紐１２を一緒に編み込むことによって、自毛１３より外れ難く、緩み難く編み込むことができるので、技量に左右されず良好に付け毛束１１を自毛１３に結束させることができる。
【００２８】
従って、従来の、付け毛束１１と自毛１３とを編み込んでからゴム紐で止める方法と比較して、緩みを抑制するために自毛１３を常に強く引っ張った状態で密に編み込む必要が無く、頭皮や毛髪に与える負担が少ないので、精神的な負担も軽減される。
また、編み込み位置がずれ難く、外れ難く、編み込みが緩み難いので、毛を梳かす際に付け毛束１１が外れたり緩んだりせず、自毛１３に付け毛束１１が良好に固定された状態が長持ちするため、メンテナンスの回数を低減させることができる。
さらに、編み込み長さを短くすることができるので、短い毛にも付け毛束１１を結束固定することが可能となるとともに、付け毛束１１と自毛１３との結束作業に必要な時間を短縮して処理能力を高めることができる。
【００２９】
また、従来の、付け毛束１１を固定したチューブを潰して自毛１３に止める方法や、付け毛束１１を自毛１３に固着させる方法と比較して、熱や圧によって自毛１３に与える負担が少なく、付け毛束１１と自毛１３とを編み込むので結束のムラが少なく、編み込み位置がずれ難く、外れ難い。さらに、ゴム紐１２は付け毛束１１を固定したチューブ等と比較して安価であり、コストを削減することができる。
【図面の簡単な説明】
【００３０】
【図１】本発明の実施例に係る毛束の結束方法の流れ図。
【図２】付け毛束とゴム紐とを絡ませる様子を示す図。
【図３】付け毛束とゴム紐束とを自毛束に添える様子を示す図。
【図４】毛束を編み込むときの付け毛束とゴム紐束との移動を示す図。
【図５】毛束を編み込むときの付け毛束とゴム紐束との移動を示す図。
【図６】毛束を二周編み込んだ様子を示す図。
【図７】毛束の毛量を調整する様子を示す図。
【図８】毛束を四周編み込んだ付け毛束とゴム紐束の状態を示す図。
【図９】本発明の実施例に係る毛束の結束構造を示す図。
【符号の説明】
【００３１】
１１  付け毛束
１１ａ・１１ｂ  付け毛束
１２  ゴム紐
１２ａ  ゴム紐束
１３  自毛
１３ａ・１３ｂ・１３ｃ  自毛束
【図１】
2005325477.tif 000003
【図２】
2005325477.tif 000004
【図３】
2005325477.tif 000005
【図４】
2005325477.tif 000006
【図５】
2005325477.tif 000007
【図６】
2005325477.tif 000008
【図７】
2005325477.tif 000009
【図８】
2005325477.tif 000010
【図９】
2005325477.tif 000011